(57)【特許請求の範囲】
【請求項１】
レバー部及びレバー部に連動するラッチ部材とで形成され、
前記レバー部は、軸心回りに回動する上レバー本体及び下レバー本体と、該上レバー本体及び該下レバー本体を連結して揺動可能とされた主リンク部材とを備え、
前記ラッチ部材は、回動軸部から後方にラッチ片を突出させると共に該回動軸部から側方にアーム部を突出させ、該アーム部の先端に前記主リンク部材に当接する当接体とを備えて一体に成形され、
前記上レバー本体若しくは前記下レバー本体の回動に連動して、前記ラッチ部材が前記回動軸部の軸線周りに回動することを特徴とするラッチ装置。
【請求項２】
前記回動軸部の軸線が前記上レバー本体及び下レバー本体の軸心と略直交していることを特徴とする請求項１に記載のラッチ装置。
【請求項３】
前記当接体の前記主リンク部材と当接する面の反対側の面に、バネ片が前方方向に上下斜めに延設されていることを特徴とする請求項１又は２に記載のラッチ装置。
【請求項４】
前記主リンク部材で連結された前記上レバー本体及び前記下レバー本体の他方を補助リンク部材を用いて連結することを特徴とする請求項１乃至３のいずれかに記載のラッチ装置。
【請求項５】
家具の開閉部における前板の左右の略中央部に設けた引手穴にレバー部を配設し、該前板裏面の右端又は左端にラッチ部材を配設し、該レバー部は、軸心回りに回動する上レバー本体及び下レバー本体と、該上レバー本体及び該下レバー本体を連結して揺動可能とされた主リンク部材とを備え、該ラッチ部材は、ラッチ片を後方に突出させた回動軸部の側方にアーム部を突出させ、該アーム部の先端に前記主リンク部材に当接する当接体を備えて一体に成形され、前記上レバー本体若しくは前記下レバー本体の回動に連動して、前記ラッチ部材が前記回動軸部の軸線周りに回動することを特徴とするラッチ装置を備えた家具。
【発明の詳細な説明】
【技術分野】
【０００１】
本発明は、ラッチ装置及びラッチ装置を備えた家具に関し、更に詳しくは、物品収納用の家具の扉や引出し等に利用されるラッチ装置及びラッチ装置を備えた家具に関する。
【背景技術】
【０００２】
キャビネットやロッカー等物品収納用の家具には、衝撃や振動が加わったときに扉や引出しなどが勝手に開いて収納する物品が落下するなどの事故を防ぐために、扉や引出しなどの開閉部に施錠機能のついたラッチ装置が設けられているものがある。ラッチ装置は、扉や引出しなどの開閉部の開閉操作を行う操作レバーと連動し、開閉部の端部に設けられているラッチ片が家具本体に設けられたラッチ係止部に係合されるものである。このラッチ片がラッチ係止部に係合するロック状態によって、開閉部を家具本体に固定することができる。また、ラッチ片とラッチ係止部が係合されたロック状態で、操作レバーを指などで引いて操作すると、ロック状態が解除され、開閉部が開閉可能になる。
【０００３】
このようなラッチ装置を備えた家具において、操作レバーを、その枢軸線周りのいずれの方向に回動させても、操作レバーの回動に連動して家具本体に係合されたラッチ片を解除するものがある（例えば、特許文献１参照）。
これは、開閉部にラッチ片の付いた回動可能なラッチ軸を配設し、更に該ラッチ軸と平行な枢軸線周りに回動可能な前面が開口した中空状の把手部材と、該ラッチ軸と該枢軸との交差方向に往復可能な作動プレートを設けたもので、把手部材の回動に応じて作動プレートが往復運動し、その作動プレートの往復運動に応じて、ラッチ軸に設けられたピン体が回動し、ラッチ片が本体に設けられる係止部と係脱する。
【特許文献１】特開２００３−３８２７７
【発明の開示】
【発明が解決しようとする課題】
【０００４】
しかしながら、従来のラッチ装置は、無理な力をかけて操作レバーを操作して操作レバーに破損等が生じた場合、ラッチ機能を損なうことがあった。また、上下いずれの方向にも回動可能な操作レバーはその構造上、家具内部にある程度の厚みを確保しなければならず、小容量の収納家具や把手部分が大きいものは物品収納スペースが制限されることがあった。
【課題を解決するための手段】
【０００５】
本発明は、このような課題に着目してなされたものであって、ラッチ解除用レバーである把手部分の操作レバーを上下２つの部材に分けることにより、課題を解決しうるラッチ装置を提供することを目的としている。
【０００６】
すなわち、本発明は、レバー部及びレバー部に連動するラッチ部材とで形成され、該レバー部は、軸心回りに回動する上レバー本体及び下レバー本体と、該上レバー本体及び該下レバー本体を連結して揺動可能とされた主リンク部材とを備え、該ラッチ部材は、回動軸部から後方にラッチ片を突出させると共に該回動軸部から側方にアーム部を突出させ、該アーム部の先端に前記主リンク部材に当接する当接体とを備えて一体に成形され、前記上レバー本体若しくは前記下レバー本体の回動に連動して、前記ラッチ部材が前記回動軸部の軸線周りに回動することを特徴とするラッチ装置に関する。
【０００７】
本発明のラッチ装置は、前記回動軸部の軸線が前記上レバー本体及び下レバー本体の軸心と略直交するようにラッチ部材を配置することが好ましい。また、前記当接体には、前記主リンク部材と当接する面の反対側の面に、バネ片を前方方向に上下斜めに延設するのが好ましい。
更に、本発明のラッチ装置は、主リンク部材に連結された上レバー本体及び下レバー本体の他方を補助リンク部材を用いて連結することができる。
【０００８】
また、本発明は、家具の開閉部における前板の左右の略中央部に設けた引手穴にレバー部を配設し、該前板裏面の右端又は左端にラッチ部材を配設し、該レバー部は、軸心回りに回動する上レバー本体及び下レバー本体と、該上レバー本体及び該下レバー本体を連結して揺動可能とされた主リンク部材とを備え、該ラッチ部材は、ラッチ片を後方に突出させた回動軸部の側方にアーム部を突出させ、該アーム部の先端に前記主リンク部材に当接する当接体を備えて一体に成形され、前記上レバー本体若しくは前記下レバー本体の回動に連動して、前記ラッチ部材が前記回動軸部の軸線周りに回動することを特徴とするラッチ装置を備えた家具とするものである。
【発明の効果】
【０００９】
把手部分を上レバー本体と下レバー本体の２つのパーツに分けることにより、把手部分に上下いずれの方向から指先を入れても操作レバーによるラッチによるロック状態の解除を行うことができる。また、どちらかの操作レバーに破損が生じた場合でも、他方の操作レバーが操作可能であるため、レバー操作及び施錠機能が損なわれることはない。
更に、本発明はレバーの回動スペースが小さいため、ラッチ装置の収納部分の厚みを薄くすることができ、開閉部の後方に形成する物品収納スペースを広くして有効に利用できる。
【発明を実施するための最良の形態】
【００１０】
本発明を実施するための最良の形態は、キャビネットなどの物品収納用の家具の開閉部における前板の左右の略中央部に設けた引手穴にレバー部を配設し、該前板裏面の右端又は左端にラッチ部材を配設して、該レバー部と該ラッチ部材とは連動するように構成され、レバー部は、軸心回りに回動する上レバー本体及び下レバー本体と、該上レバー本体及び該下レバー本体を連結して揺動可能とされた主リンク部材とを備え、ラッチ部材は、回動軸部から後方にラッチ片を突出させると共に該回動軸部から側方にアーム部を突出させ、該アーム部の先端に前記主リンク部材に当接する当接体とを備えて一体に成形され、前記上レバー本体若しくは前記下レバー本体の回動に連動して、前記ラッチ部材が前記回動軸部の軸線周りに回動するラッチ装置を備えた家具とする。
【実施例】
【００１１】
以下、本発明に係るラッチ装置及びラッチ装置を備えた家具について、図面を参照して説明する。
図１は、本発明の第１実施形態であるラッチ装置を備えたキャビネットの外観斜視図である。図２は、図１の引出し前板部分の前面斜視図である。図３は、第１実施形態のラッチ装置の取付状態を示す引出しの前板裏面斜視図であり、図４は、第１実施形態のラッチ装置取付前の前板裏面斜視図である。図５は、第１実施形態のラッチ装置の分解斜視図である。図６乃至図８は第１実施形態の作動を示す図である。図９は、本発明の第２実施形態のラッチ装置の取付状態を示す引出しの前板裏面斜視図である。
【００１２】
本実施形態の引出しＡは、図１に示すように、鏡板１、左右の側壁２ａ、２ｂ、底板３及び後壁（図示せず）で成る上面開口の箱状体として構成されている。そしてこの鏡板１は、図２に示すように、前板４と該前板４の周囲に一体に成形される囲い壁５と、該前板４の裏側に装着される裏板（図示せず）とにより、内部が中空状に形成されている。
【００１３】
本発明の第１実施形態のラッチ装置は、図３に示すように、前記前板４の裏面の左右略中央部にレバー部を備え、該前板４の裏面の端部にラッチ部材９を備え、該レバー部と該ラッチ部材９とが連動するように構成されている。
レバー部は、上レバー本体６と下レバー本体７、及び該上レバー本体６と該下レバー本体７を連結する主リンク部材８とからなる。
また、ラッチ部材９は、主リンク部材８の押圧ピン３５Ａ、Ｂに当接する当接体２４と、ラッチ片２２を備えた回動軸部２１、並びに該当接体２４と該回動軸部２１をつなぐアーム部２３とが一体成形されている。
【００１４】
そして、前板４の裏面は、図４に示すように、前記レバー部の上レバー本体６と下レバー本体７を回動可能に支持する切り欠き穴４１Ａ、４１Ｂ及び前記ラッチ部材９の回動軸部２１を支持するための取付穴４３などの支持体が設けられている。
【００１５】
次に、レバー部について説明する。該レバー部は前述したごとく、上レバー本体６と下レバー本体７及び、主リンク部材８とからなる。
該上レバー本体６は、図２及び図５に示すように、鏡板１の左右略中央部に穿設した引手穴に嵌めこまれる正面板１１Ａと、該正面板１１Ａの裏面略中央部から後方上向きに伸び、正面板１１Ａと間隙を設けて下方に伸びる本体部材１２Ａとから形成される下向開口略Ｕ字状の棒形状を成し、該本体部材１２Ａの下端は該正面板１１Ａの下端よりも下方に伸びた構成とされている。該本体部材１２Ａの上端面には、上レバー本体６の回動軸線となる回動支持体１３Ａが一体成形されている。該回動支持体１３Ａには上レバー本体６が左右に移動するのを防ぐために上レバー本体６の中心から左右等距離に移動防止板１４Ａを設けている。
上レバー本体６の左右側面板１５Ａには、該回動支持体１３Ａと軸心及び外径を同一とする左右外向きに突設した支持突起１６Ａが一体成形されている。更に該支持突起１６Ａの先端外側には、該支持突起１６Ａの外径よりも大きい外径の膨出部１７Ａが一体成形されている。また、該左右側面板１５Ａの下端略中央部には、左右外向きに突出した補助ピン１８Ａが一体成形されている。
【００１６】
下レバー本体７は、前記上レバー本体６と上下対称の構成を成し、鏡板１の左右略中央部に穿設した引手穴に嵌め込まれる正面板１１Ｂと、この正面板１１Ｂの裏面略中央部から後方下向に伸び、正面板１１Ｂと間隙を設けて上方に伸びる本体部材１２Ｂとから形成される上向開口略Ｕ字状の棒形状を成し、該本体部材１２Ｂの上端は該正面板１１Ｂの上端よりも上方に伸びた構成とされている。該本体部の下端面には、下レバー本体７の回動軸線となる回動支持体１３Ｂが一体成形されている。該回動支持体１３Ｂには下レバー本体７が左右に移動するのを防ぐために下レバー本体７の中心から左右等距離に移動防止板１４Ｂを設けている。
下レバー本体７の左右側面板１５Ｂには、該回動支持体１３Ｂと軸心及び外径を同一とする左右外向きに突設した支持突起１６Ｂが一体成形されている。更に該支持突起１６Ｂの先端外側には、該支持突起１６Ｂの外径よりも大きい外径の膨出部１７Ｂが一体成形されている。また、該左右側面板１５Ｂの上端略中央部には、左右外向きに突出した補助ピン１８Ｂが一体成形されている。
【００１７】
上述したごとく、上レバー本体６は正面板１１Ａと本体部材１２Ａとの間に、下レバー本体７は正面板１１Ｂと本体部材１２Ｂとの間に溝が形成され、それぞれ操作時に指を掛ける指掛け部が構成されている。
なお、本発明において、本体部材１２Ａ及び１２Ｂは、正面板１１Ａ及び１１Ｂと一体に成形されて指掛け部を形成できれば良く、例えば、該本体部材１２Ａの下端が該正面板１１Ａの下端よりも上方に位置するようにし、該本体部材１２Ｂの上端が該正面板１１Ｂの上端よりも下方に位置するようにし、本体部材１２Ａ、Ｂを短くして構成しても良い。
【００１８】
主リンク部材８は、図５に示すように、上下に長さのある厚板であるリンク部本体３１と該リンク部本体３１の略中央部から左右に水平方向に突設した軸ピン３２と、該リンク部本体３１から後方に突出した上側及び下側突出板３３Ａ、Ｂと、該上側及び下側突出板３３Ａ、Ｂの広幅面から側方へ水平方向に突設した押圧ピン３５Ａ、Ｂとが一体成形されており、該リンク部本体３１の上端及び下端近傍には、前記上及び下レバー本体６、７の補助ピン１８Ａ、Ｂの外径よりも大きい外径であって上下を長軸とする長穴３４Ａ、Ｂが設けられている。
【００１９】
本発明において、前記上及び下レバー本体６、７の補助ピン１８Ａ、Ｂが前記主リンク部材８の長穴３４Ａ、Ｂに揺動可能に嵌め込まれ、レバー部を構成する。
このように構成されたレバー部は、前記前板４の裏面に設けられた前記支持体に嵌め込まれる。図４に示すように、例えば、上レバー本体６の支持突起１６Ａは切り欠き穴４１Ａに、下レバー本体７の支持突起１６Ｂは、切り欠き穴４１Ｂに回動可能に嵌め込まれ、主リンク部材の軸ピン３２は前板裏面に設けた嵌合穴（図示せず）に嵌め込まれる。また、上レバー本体６の補助ピン１８Ａは、切り欠き穴４１Ａを中心とする円弧に沿って形成された切り欠き溝４２Ａに、そして下レバー本体７の補助ピン１８Ｂは、切り欠き穴４１Ｂを中心とする円弧に沿って形成された切り欠き溝４２Ｂにそれぞれ挿入されて、上レバー本体６と下レバー本体７を支持突起１６Ａ、Ｂを中心に安定的に揺動させる。
【００２０】
次にラッチ部材９について説明する。図５に示すように、ラッチ部材９は、丸軸状の回動軸部２１の側面に、引出し本体の内側面に突設した係止部に係合する係合穴２６を備えたラッチ片２２と、該ラッチ片２２の軸線と略直角を成すように交差するアーム部２３を一体成形し、該アーム部２３の先端には当接体２４及びバネ片２５Ａ、Ｂが一体に成形されている。
該回動軸部２１はその上下端面には、該回動軸部２１の外径よりも小さい外径とした上向き突出軸２７Ａ及び下向き突出軸２７Ｂが一体成形されている。
また、当接体２４は、前記アーム部２３に対して上下に延設されて前記主リンク部材８の押圧ピン３５Ａ、Ｂと当接するものであり、バネ片２５Ａ、Ｂは該当接体２４の押圧ピン３５Ａ、Ｂと当接する面の反対面の略中央部から前板方向に上下斜めに延設されたものである。このバネ片２５Ａ、Ｂによって、ラッチ部材９は回動付勢され、この結果ラッチ片２２が家具本体の係止部と自動的に係合し、且つ係止した状態で抜け出ないようにしている。
【００２１】
ラッチ部材９は、前記上向き及び下向き突出軸２７Ａ、Ｂを、引出しの前板４の裏面に設けられた支持体の取付穴４３に嵌めこみ、軸支される。
【００２２】
そして、前記ラッチ部材９は、図３に示すように、当接体２４が主リンク部材８の押圧ピン３５Ａ、Ｂと前板４の内側面との間に位置するように配置される。このとき、バネ片２５Ａ、Ｂによって該押圧ピン３５Ａ、Ｂと当接体２４が常に接触している状態とされる。
【００２３】
本発明に用いるバネ片は、ラッチ部材９に回動付勢力を与えることができるものであれば、任意の形状や材質のものを用いることができる。
上述したバネ片の他、例えば、コイル形状をした押しバネや、トーションバネを用いることができる。押しバネは、第１実施形態に用いたバネ片と同様に当接体２４の前面、すなわち該当接体２４が押圧ピン３５Ａ、Ｂと当接する面の反対側に配設されれば良い。また、アーム部２３の前面に配設することもできる。トーションバネは、円筒コイルバネに互いに交差する２本の腕を持ったものであるが、このトーションバネを用いる場合は、例えば、トーションバネのバネ部分をラッチ部材９の回動軸部２１に巻き付け、一方の腕を該回動軸部２１付近の囲い板５の内壁に固定し、もう一方の腕をラッチ片２２に固定する。こうすることで、ラッチ部材９に回動付勢力を与えることができる。
【００２４】
次に、本発明のラッチ装置の連動機構について説明する。
引出しを家具本体から開く方法を図６乃至図８を用いて説明する。引出しＡが家具本体に収納された状態のとき、本発明のラッチ装置は図６に示す状態でラッチ片２２が家具本体の係止部２８に係合されている。この状態で上レバー本体６の正面板１１Ａ（図５参照）に指などを掛ける。このように指掛け部に指を掛けることにより、正面板１１Ａを確実に手前側に引っ張ることができる。このようにして、正面板１１Ａを手前側に引っ張ると、図７に示すように、上レバー本体６が回動支持体１３Ａを軸線として矢印方向Ｘの方向に回動軸を中心に回動する。上レバー本体６が手前側に回動すると、上レバー本体６の補助ピン１８Ａに嵌合されている主リンク部材８が軸ピン３２を軸線として回動する。すなわち、上レバー本体６が手前側に引っ張られたとき、上レバー本体６の補助ピン１８Ａは手前に移動し、該補助ピン１８Ａと連動する主リンク部材８の上側長穴３４Ａも手前に移動する。
【００２５】
このとき、前記主リンク部材８の下側長穴３４Ｂは引出しの内側に押し出されることとなり、該下側長穴３４Ｂに嵌め合わされている下レバー本体７も連動して引出し内部に押し出され、引出し前面から見た場合、該下レバー本体７の正面板１１Ｂは引出し内部に引き入れられる状態となる。
【００２６】
前記主リンク部材８の前記上側長穴３４Ａが手前に移動すると、同様に上側押圧ピン３５Ａも移動し、ラッチ部材９の当接体２４の上側を手前に押圧して、アーム部２３を前板４方向に押圧回動させる。該アーム部２３に一体成形されている回動軸部２１及びラッチ片２２が枢軸線の周りに矢印方向Ｙの方向に回動してラッチ片２２の係合穴２６が家具本体の係止部２８から外れて係合解除される。
【００２７】
一方、下レバー本体７を操作したときも同様に、図８に示すように、該下レバー本体７を手前側に引っ張ると、該下レバー本体７の補助ピン１８Ｂに嵌合されている下側長穴３４Ｂがリンク部材の軸ピン３２を軸線として回動し手前に移動し、同時に上側長穴３４Ａが引出し内部に押し出され、該上側長穴３４Ａに嵌め合わされている上レバー本体６も連動して開閉部内部に押し出され、引出し前面から見た場合、該上レバー本体６の正面板１１Ａは引出し内部に引き入れられる状態となる。
リンク部材の下側押圧ピン３５Ｂがラッチ部材９の当接体２４の下側を手前に押圧して、アーム部２３を前板４方向に押圧回動させ、アーム部２３に一体成形されている回動軸部２１及びラッチ片２２が枢軸線の周りに矢印方向Ｙの方向に回動してラッチ片２２の係合穴２６が家具本体の係止部２８から外れて係合解除される。
【００２８】
したがって、上レバー本体６と下レバー本体７のどちらを操作した場合にも同じ作用が得られ、ラッチ片２２を家具本体の係止部２８から外すことができる。
【００２９】
また、本発明のラッチ装置は、主リンク部材８で連結される側と反対の上及び下レバー本体６、７を補助リンク部材５１で連結することもできる。
この補助リンク部材５１は、図９に示すように、上下に長さのある厚板であるリンク部本体５２と該リンク部本体５２の側面部の略中央部から左右に水平方向に突設した軸ピン５３とが一体成形されており、該リンク部本体５２の上端及び下端近傍には、前記上及び下レバー本体６、７の補助ピン１８Ａ、Ｂの外径よりも大きい外径であって上下を長軸とする長穴５４Ａ、Ｂが設けられている。
このとき、主リンク部材８及び補助リンク部材５１の軸ピン３２、５３は同軸線上に位置し、上レバー本体６と下レバー本体７の軸線と略平行となる。
【００３０】
このように、前記主リンク部材８と前記補助リンク部材５１を用いて、上レバー本体６と下レバー本体７を連結することで、更に安定したレバー操作を行うことができる。
【図面の簡単な説明】
【００３１】
【図１】本発明の第１実施形態であるラッチ装置を備えたキャビネットの外観斜視図。
【図２】図１の引出し部分の前面斜視図。
【図３】第１実施形態のラッチ装置の取付状態を示す引出し部分の前板裏面斜視図。
【図４】第１実施形態のラッチ装置を支持する前板裏面斜視図。
【図５】第１実施形態のラッチ装置の分解斜視図。
【図６】第１実施形態の作動を示す図。
【図７】第１実施形態の作動を示す図。
【図８】第１実施形態の作動を示す図。
【図９】本発明の第２実施形態のラッチ装置の取付状態を示す引出し部分の前板裏面斜視図。
【符号の説明】
【００３２】
Ａ            引出し
１            鏡板
２ａ、ｂ      側壁
３            底板
４            前板
５            囲い板
６            上レバー本体
７            下レバー本体
８            主リンク部材
９            ラッチ部材
１１Ａ、Ｂ    正面板
１２Ａ、Ｂ    本体部材
１３Ａ、Ｂ    回動支持体
１４Ａ、Ｂ    移動防止板
１５Ａ、Ｂ    側面板
１６Ａ、Ｂ    支持突起
１７Ａ、Ｂ    膨出部
１８Ａ、Ｂ    補助ピン
２１          回動軸部
２２          ラッチ片
２３          アーム部
２４          当接体
２５Ａ、Ｂ    バネ片
２６          係合穴
２７Ａ、Ｂ    突出軸
２８          係止部
３１、５２    リンク部本体      
３２、５３    軸ピン
３３Ａ、Ｂ    突出板
３４Ａ、Ｂ，５４Ａ、Ｂ    長穴
３５Ａ、Ｂ    押圧ピン
４１Ａ、Ｂ    切り欠き穴
４２Ａ、Ｂ    切り欠き溝
４３          取付穴
５１          補助リンク部材
【図１】
0004607719.tif 000002
【図２】
0004607719.tif 000003
【図３】
0004607719.tif 000004
【図４】
0004607719.tif 000005
【図５】
0004607719.tif 000006
【図６】
0004607719.tif 000007
【図７】
0004607719.tif 000008
【図８】
0004607719.tif 000009
【図９】
0004607719.tif 000010